(57)【要約】【課題】本発明は、照明器具の取付工事について時間の短縮や労力の低減を図るための照明器具取付装置の取付用プレートを提供する。【解決手段】本発明に係る取付用プレート１０は、側面に水平方向に突出する突出部ｄ２、ｄ３を備えたアダプターＤが嵌まり込む内穴１１を備えていて、取付用プレート１０をアダプターＤに嵌め込んで回転させると、取付用プレート１０はアダプターＤの突出部上に載置でき、照明器具取付装置Ｂは、取付用プレート１０と連結されていて、取付用プレートに対して近接する構造を備え、アダプターＤは、突出部上に載置された取付用プレート１０と照明器具取付装置Ｂとにより挟持されて、照明器具取付装置ＢがアダプターＤに固定される構造である。【選択図】図７
2020167075.tif 000002
【特許請求の範囲】
【請求項１】
アダプターに照明器具取付装置を取り付けたるための取付用プレートであって、
前記アダプターは、天井に取り付けられる引っ掛けシーリングローゼットに係止されるものであって、その側面には水平方向に突出する２個以上の突出部を備え、
前記取付用プレートは、前記アダプターの横断面形状に沿った内穴を備えていて当該アダプターが前記突出部を含めて嵌まり込む構造であり、
前記取付用プレートを前記アダプターに嵌め込んで、当該取付用プレートを当該アダプターに対して回転させると、当該取付用プレートは当該アダプターの突出部上に載置することが可能であり、
前記照明器具取付装置は、前記取付用プレートと連結されていて、当該取付用プレートに対して近接する構造を備え、
前記アダプターは、突出部上に載置された前記取付用プレートと前記照明器具取付装置とにより挟持されて、当該照明器具取付装置は当該アダプターに固定される構造である
ことを特徴とする照明器具取付装置の取付用プレート。
【請求項２】
前記アダプターは円柱形状であって、その側面に備えた突出部は側面周方向に均等間隔に配置されており、
前記取付用プレートに備える内穴は、前記アダプターの円柱形状に沿った円形穴部と前記左右の突出部の形状に沿った切欠穴部とからなる
ことを特徴とする請求項１に記載の照明器具取付装置の取付用プレート。
【請求項３】
前記取付用プレートは、ストッパーを備えており、
当該ストッパーは、前記取付用プレートが、当該取付用プレートを前記アダプターに嵌め込む位置に戻ることを阻止する
ことを特徴とする請求項１又は２に記載の照明器具取付装置の取付用プレート。
【請求項４】
前記ストッパーは、下向きの突起よりなり、
当該突起は、前記取付用プレートの前記切欠穴部において、前記取付用プレートの回転方向と交差する縁に形成されている
ことを特徴とする請求項３に記載の照明器具取付装置の取付用プレート。
【請求項５】
前記取付用プレートは、その周囲に形成した複数個のボルト挿入穴を備え、
前記照明器具取付装置は、前記ボルト挿入穴に対応するボルト通過穴を備え、
ボルトを前記取付用プレートの前記ボルト挿入孔に通した後、当該ボルトに蔓巻バネを通して、当該ボルトの先端部を前記ボルト通過穴に通し、当該ボルトの先端部にナットを螺合することにより、当該取付用プレートを当該照明器具取付装置に連結し、
当該ナットをさらに螺合していくことにより、当該照明器具取付装置が当該取付用プレートに近接していく
ことを特徴とする請求項１〜４のいずれか１項に記載の照明器具取付装置の取付用プレート。
【発明の詳細な説明】
【技術分野】
【０００１】
本発明は、照明器具取付装置の取付用プレートに関し、特に天井に設置されている引っ掛けシーリングローゼット（単に「ローゼット」と称す。）に取り付けられたアダプターに、照明器具取付装置を取り付けるための取付用プレートに関する。なお、当該照明器具取付装置は、これに直接照明器具を取り付けるほか、ダクトレールを介して照明器具を取り付ける場合等がある。
【背景技術】
【０００２】
従来、照明器具の取付工事においては、数多くの照明器具を天井等へ取り付ける場合が多い。そのような場合において、下記特許文献１に示される「配線ダクトレールの取付装置」や特許文献２に示される「電気器具の天井取付構造」のような従来の施工方法では、一人で短時間に施工を完了するにはかなりの困難さを伴うものであった。その結果、施工作業を二人以上一組で行う場合が生じ、多大の時間や労力を費やすことになっていた。
【０００３】
そこで、本願の発明者は、その時間の短縮や労力の低減を図ることを目的として、下記特許文献３に記載の「照明器具取付装置」を開発し、その目的をさらに達成するために下記特許文献４に記載の「照明器具取付装置」を開発した。
【先行技術文献】
【特許文献】
【０００４】
【特許文献１】特開２００６−４７７５号公報
【特許文献２】特開２００９−１９３８２１号公報
【特許文献３】特開２０１５−６９７８２号公報
【特許文献４】特開２０１７−１０６８３号公報
【発明の概要】
【発明が解決しようとする課題】
【０００５】
しかしながら、上記特許文献４に記載の構造においては、時間の短縮や労力の低減はある程度達成できるものの、十分に時間の短縮や労力の低減を図るには至っていない。
【０００６】
そこで、本発明者は、鋭意研究を重ね、照明器具の取付工事について時間の短縮や労力の低減を図るために、アダプターに照明器具取付装置を簡単に取り付けることができる取付用プレートを開発した。
【課題を解決するための手段】
【０００７】
本発明に係る第１の照明器具取付装置の取付用プレートは、アダプターに照明器具取付装置を取り付けたるための取付用プレートであって、前記アダプターは、天井に取り付けられるローゼットに係止されるものであって、その側面には水平方向に突出する２個以上の突出部を備え、前記取付用プレートは、前記アダプターの横断面形状に沿った内穴を備えていて当該アダプターが前記突出部を含めて嵌まり込む構造であり、前記取付用プレートを前記アダプターに嵌め込んで、当該取付用プレートを当該アダプターに対して回転させると、当該取付用プレートは当該アダプターの突出部上に載置することが可能であり、前記照明器具取付装置は、前記取付用プレートと連結されていて、当該取付用プレートに対して近接する構造を備え、前記アダプターは、突出部上に載置された前記取付用プレートと前記照明器具取付装置とにより挟持されて、当該照明器具取付装置は当該アダプターに固定される構造であることを特徴とする。
【０００８】
本発明に係る第２の照明器具取付装置の取付用プレートは、上記第１の取付用プレートの構成に加えて、前記アダプターは円柱形状であって、その側面に備えた突出部は側面周方向に均等間隔に配置されており、前記取付用プレートに備える内穴は、前記アダプターの円柱形状に沿った円形穴部と前記左右の突出部の形状に沿った切欠穴部とからなることを特徴とする。
【０００９】
本発明に係る第３の照明器具取付装置の取付用プレートは、上記第１又は第２の取付用プレートの構成に加えて、前記取付用プレートは、ストッパーを備えており、当該ストッパーは、前記取付用プレートが、当該取付用プレートを前記アダプターに嵌め込む位置に戻ることを阻止することを特徴とする。
【００１０】
本発明に係る第４の照明器具取付装置の取付用プレートは、上記第３の取付用プレートの構成に加えて、前記ストッパーは、下向きの突起よりなり、当該突起は、前記取付用プレートの前記切欠穴部において、前記取付用プレートの回転方向と交差する縁に形成されていることを特徴とする。
【００１１】
本発明に係る第５の照明器具取付装置の取付用プレートは、上記第１〜第４の取付用プレートの構成に加えて、前記取付用プレートは、その周囲に形成した複数個のボルト挿入穴を備え、前記照明器具取付装置は、前記ボルト挿入穴に対応するボルト通過穴を備え、ボルトを前記取付用プレートの前記ボルト挿入孔に通した後、当該ボルトに蔓巻バネを通して、当該ボルトの先端部を前記ボルト通過穴に通し、当該ボルトの先端部にナットを螺合することにより、当該取付用プレートを当該照明器具取付装置に連結し、当該ナットをさらに螺合していくことにより、当該照明器具取付装置が当該取付用プレートに近接していくことを特徴とする。
【発明の効果】
【００１２】
上記のように照明器具取付装置の取付用プレートを構成したことにより、アダプターに照明器具取付装置を容易に取り付けることができるため、作業者の両手が空いて両手で作業を進めていくことができるので、１人でも照明器具の取付作業が容易に行うことが可能となり、照明器具の取付工事について大幅な時間の短縮や労力の低減を図ることが可能となった。
【図面の簡単な説明】
【００１３】
【図１】照明器具取付装置を使用して天井に照明器具を取り付けた状態を示す斜視図である。
【図２】天井に設置されたローゼットにアダプターを取り付ける状態を示す組立説明図である。
【図３】取付用プレートの構成を示す図であって、（ａ）は裏面から見た底面図、（ｂ）は底面図におけるＢ−Ｂ線断面図、（ｃ）は正面図である。
【図４】取付用プレートの斜視図である。
【図５】アダプターへ取付用プレートを取り付ける状態を説明する斜視図であって、（ａ）はアダプターの下から取付用プレートを嵌め込んだ状態を示し、（ｂ）はアダプターを通り抜けた取付用プレートをアダプターに対して９０度回転させた状態を示し、（ｃ）は取付プレートを下降させてアダプターの突出部上に載置した状態を示す。
【図６】取付用プレートと照明器具取付装置との組立構造を説明する分解斜視図である。
【図７】天井に設置されたローゼットに、取付用プレートを備えた照明器具取付装置を取り付ける状態を示す組立説明図である。
【図８】ナットを螺合して締め付けていくことにより、照明器具取付装置を上昇させて、取付プレートと照明器具取付装置との間にアダプターを挟み込んで固定した状態を示す一部切欠斜視図である。
【発明を実施するための形態】
【００１４】
次に本発明の好適な実施例を添付の図面に基づいて詳細に説明する。
【実施例１】
【００１５】
図１において、Ａは照明器具を示し、Ｂは本発明の実施例に係る照明器具取付装置を示す。
【００１６】
照明器具Ａは、複数の照明部ａ１と、各照明部ａ１を支持すると共に各照明部の配線コードを通す本体パイプａ２、いわゆるダクトレールから構成される。照明器具Ａの配線については、照明器具Ａにおける各照明部ａ１の各配線コードが、一つの配線ケーブルに集束されて照明器具Ａの本体パイプａ２から上方に伸び出し、その先端に配線コネクターが接続され、この配線コネクターが照明器具取付装置Ｂ内に繋がっていく。
【００１７】
照明器具取付装置Ｂは、これに後述する取付用プレート１０が組み込まれ、組み込まれた状態にある取付用プレート１０が後述するアダプターＤに係止され、ナットを螺合することによりアダプターＤに照明器具取付装置Ｂが固定される構造になっている。
【００１８】
図２において、Ｃはローゼットを示し、Ｄはアダプターを示す。
【００１９】
ローゼットＣは、その下面に係合孔ｃ１を備えていて、係合孔ｃ１が下向きになるように天井に設置される。ローゼットＣは、一般に建屋の屋根裏等に配されている屋内配線に接続されており、ローゼットＣの係合孔ｃ１は、その内部において屋内配線に電気的に接続された端子を備えている。
【００２０】
アダプターＤは、円柱状の形態をなしており、その上面にはアダプター内の回路に電気的に接続された端子を兼用する引掛プラグｄ１を備えており、ローゼットＣにワンタッチで取着できるようになっている。すなわち、ローゼットＣの係合孔ｃ１にアダプターＤの引掛プラグｄ１を、矢符ａで示すように嵌め込んでアダプターＤを矢符ｂで示す方向に回転させると、引掛プラグｄ１が抜け出ないようになる。この時点で引掛プラグｄ１と係合孔ｃ１内の端子とが電気的に接続される。その結果、ローゼットＣにアダプターＤは電気的に接続された状態で掛止され、アダプターＤの下方に接続されている不図示の電源ケーブルに通電される。
【００２１】
当該アダプターＤは、水平方向に突出する突出部ｄ２、ｄ３を左右両側面に備えており、突出部ｄ２、ｄ３の上面は、取付用プレート１０が載置できるように上面に水平面を備えた断面倒台形状をなしている。なお、突出部は２個に限られるものではなく、３個以上であってもよいが、多くなり過ぎると製造が面倒であることと、後述する取付用プレート１０を載置した場合の取付用プレート１０の安定性及び荷重をかけた場合の強度が低下するので好ましくない。また、突出部は、アダプターＤの側面周方向に均等間隔で配置するのが、バランス面で優れているので望ましい。したがって、突出部の数は２〜６個の範囲が適当である。
【００２２】
図３及び図４は、照明器具取付装置Ｂに組み込まれる取付用プレート１０を示し、当該取付用プレート１０は、アダプターＤに照明器具取付装置Ｂを取り付けるためのものである。そして、取付用プレート１０は、アダプターＤの横断面形状に沿った内穴１１を備えており、図５に示すように、取付用プレート１０は、その内穴１１によってアダプターＤの下方から嵌まり込んで上方に抜ける構成になっている。すなわち、取付用プレート１０における内穴１１は、円柱状のアダプターＤ本体に対応する円形穴部１１ａと、アダプターＤの突出部ｄ２、ｄ３に対応して形成されている切欠穴部１１ｃ、１１ｄとを含めた形状の穴であり、前記アダプターＤの突出部ｄ２、ｄ３を含めて嵌まり込む穴の形状をなしている。
【００２３】
そして、取付用プレート１０は、図５（ａ）に示すように、アダプターＤの下方から取付用プレート１０の内穴１１をアダプターＤに嵌め込み（矢符ｃ）、そしてアダプターＤから取付用プレート１０を上方に抜け出させ、図５（ｂ）に示すように、アダプターＤ上において取付用プレート１０を９０度回転させて（矢符ｄ）、取付用プレートの切欠穴部１１ｃ、１１ｄをアダプターＤの突出部ｄ２、ｄ３上から移動させて、図５（ｃ）に示すように、取付用プレート１０を下降させる（矢符ｅ）とアダプターＤの突出部ｄ２、ｄ３上に載置させることができる。なお、取付用プレート１０の回転角度は９０度に限られるものではなく、後述するストッパー１２ａ、１２ｂ、１２ｃ、１２ｄを超える程度に回転させればよい。
【００２４】
このように取付用プレート１０をアダプターＤの突出部ｄ２、ｄ３上に載置させた後、アダプターＤに対して取付用プレート１０が回転して、取付用プレート１０の切欠穴部１１ｃ、１１ｄがアダプターＤの突出部ｄ２、ｄ３の位置に戻ると、アダプターＤから取付用プレート１０が脱落してしまうおそれがある。このような脱落を防止するために、取付用プレート１０には、図３及び図４に示すように、取付用プレート１０の切欠穴部１１ｃ、１１ｄがアダプターＤの突出部ｄ２、ｄ３の位置に戻ることを阻止するストッパー１２ａ、１２ｂ、１２ｃ、１２ｄが設けられている。
【００２５】
前記ストッパー１２ａ、１２ｂ、１２ｃ、１２ｄは、各図に示すように、取付用プレート１０の切欠穴部１１ｃ、１１ｄにおいて、取付用プレート１０が、前述したように、アダプターＤ上を回転する回転方向に交差する縁、すなわち、取付用プレート１０の周方向と切欠穴部１１ｃ、１１ｄとが交差する縁に形成した（縁を下向き折り曲げた）突起により構成される。このように構成したことにより、アダプターＤ上の突出部ｄ２、ｄ３に載置された取付用プレート１０が回転しても、切欠穴部１１ｃに形成されたストッパー１２ｂ、切欠穴部１１ｄに形成された１２ｄのどちらかが突出部ｄ２に突き当たるので、切欠穴部１１ｃ及び切欠穴部１１ｄが突出部ｄ２の位置に進入することが阻止され、同様に切欠穴部１１ｃに形成されたストッパー１２ａ、切欠穴部１１ｄに形成されたストッパー１２ｃ、１２ｄのどちらかが突出部ｄ３に突き当たるので、切欠穴部１１ｃ及び切欠穴部１１ｄが突出部ｄ３の位置に進入することが阻止される。
【００２６】
次に、図６に示す分解図を利用して、照明器具取付装置Ｂと取付用プレート１０との連結構造について説明する。
【００２７】
図６において、２０ａ、２０ｂ、２０ｃ、２０ｄはボルトであり、取付用プレート１０には、その周囲に、矢符ｆで示すように、ボルト２０ａ、２０ｂ、２０ｃ、２０ｄを挿入するためのボルトの本数に合わせた数の４箇所のボルト挿入穴１５ａ、１５ｂ、１５ｃ、１５ｄが形成されている。
【００２８】
図６において、２１ａ、２１ｂ、２１ｃ、２１ｄは蔓巻バネであり、ボルト挿入穴１５ａ、１５ｂ、１５ｃ、１５ｄに挿入された各ボルト２０ａ、２０ｂ、２０ｃ、２０ｄの先端から、矢符ｇで示すように、各ボルト２０ａ、２０ｂ、２０ｃ、２０ｄが各蔓巻バネ２１ａ、２１ｂ、２１ｃ、２１ｄに通される。
【００２９】
照明器具取付装置Ｂには、その周壁面から内方に形成されたドーナツ状の鍔面に、前記４箇所のボルト挿入穴１５ａ、１５ｂ、１５ｃ、１５ｄに対応する、すなわち垂直方向に一致するボルト通過穴Ｂ１、Ｂ２、Ｂ３、Ｂ４が形成されており、蔓巻バネ２１ａ、２１ｂ、２１ｃ、２１ｄが通された各ボルト２０ａ、２０ｂ、２０ｃ、２０ｄは、矢符ｈで示すように、ボルト通過穴Ｂ１、Ｂ２、Ｂ３、Ｂ４を通過し、各ボルト２０ａ、２０ｂ、２０ｃ、２０ｄの先端には、矢符ｉで示すように、ナット２２ａ、２２ｂ、２２ｃ、２２ｄを螺合することにより、図７に示すように、取付用プレート１０は照明器具取付装置Ｂに連結されることになる。
【００３０】
前記蔓巻バネ２１ａ、２１ｂ、２１ｃ、２１ｄは、その長さ方向の伸縮性により、取付用プレート１０を上方に付勢して常に取付用プレート１０を浮上させる働きをすると共に、取付用プレート１０を下降させることも可能にする。
【００３１】
この取付用プレート１０が照明器具取付装置Ｂに連結されている状態において、ナット２２ａ、２２ｂ、２２ｃ、２２ｄをさらに螺合していくと、すなわち、各ボルト２０ａ、２０ｂ、２０ｃ、２０ｄを下降させると、取付用プレート１０が下降していき、照明器具取付装置Ｂに近接していく。逆に取付用プレート１０側から見ると照明器具取付装置Ｂは取付用プレート１０に近接していくことになり、その結果、図８に示すように、突出部ｄ２、ｄ３上に載置されている取付用プレート１０と照明器具取付装置Ｂとの間にアダプターＤの突出部ｄ２、ｄ３が挟持され、これによって、照明器具取付装置ＢがアダプターＤに固定されることになる。
【００３２】
次に、本実施例における取付用プレート１０を使用して、照明器具取付装置Ｂを、ローゼットＣに係止したアダプターＤに取り付ける手順を説明する。
【００３３】
まず、図６に基づいて説明したように、照明器具取付装置Ｂに取付用プレート１０を連結して、図７の下部に示す状態にする。この連結した状態において、図７の上部に示す天井に固定されているローゼットＣに係止したアダプターＤに対して、図５に基づいて説明したように、取付用プレート１０をアダプターＤの下方からアダプターＤに嵌め込み、取付用プレート１０を９０度回転して、アダプターＤの突出部ｄ２、ｄ３上に取付用プレート１０を載置する。
【００３４】
この状態においては、照明器具取付装置ＢはアダプターＤに係合している状態となるため、作業者は、照明器具取付装置Ｂから手を離しても照明器具取付装置Ｂが落下してくるようなおそれはないので、両方の手を自由に使用できる状態となり、作業性が一気に向上する。
【００３５】
そして、この状態において、照明器具取付装置Ｂ底部のナット２２ａ、２２ｂ、２２ｃ、２２ｄを螺合していくと、図８に基づいて説明したように、照明器具取付装置ＢがアダプターＤに固定されて、作業が完了することになる。
【００３６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３７】
Ａ・・・照明器具
ａ１・・照明部
ａ２・・本体パイプ
Ｂ・・・照明器具取付装置
Ｃ・・・引掛シーリングローゼット
ｃ１・・係合孔
Ｄ・・・アダプター
ｄ１・・引掛プラグ
ｄ２、ｄ３・・突出部
１０・・取付用プレート
１１・・内穴
１１ａ・円形穴部
１１ｃ、１１ｄ・・切欠穴部
１２ａ、１２ｂ、１２ｃ、１２ｄ・・ストッパー
２０ａ、２０ｂ、２０ｃ、２０ｄ・・ボルト
２１ａ、２１ｂ、２１ｃ、２１ｄ・・蔓巻バネ
１５ａ、１５ｂ、１５ｃ、１５ｄ・・ボルト挿入穴
Ｂ１、Ｂ２、Ｂ３、Ｂ４・・ボルト通過穴
２２ａ、２２ｂ、２２ｃ、２２ｄ・・ナット
ａ、ｂ、ｃ、ｄ、ｅ、ｆ、ｇ、ｈ、ｉ・・矢符
【図１】
2020167075.tif 000003
【図２】
2020167075.tif 000004
【図３】
2020167075.tif 000005
【図４】
2020167075.tif 000006
【図５】
2020167075.tif 000007
【図６】
2020167075.tif 000008
【図７】
2020167075.tif 000009
【図８】
2020167075.tif 000010